(57)【要約】【課題】不快な甘味を感じることなく、義歯を口腔内に装着することができる義歯安定剤を提供する。【解決手段】義歯安定剤は、水と、エタノールと、セルロース誘導体１１〜２５％とを含み、セルロース誘導体の２５℃における２％粘度が３０〜４５ｍＰａ・ｓであるものである。セルロース誘導体としては、水溶性のセルロースエーテルであるメチルセルロース、エチルセルロース、ヒドロキシ化されたアルキルセルロース（ヒドロキシプロピルメチルセルロース、ヒドロキシエチルセルロース等）、カルボキシメチルセルロース、アルカリ金属カルボキシメチルセルロース（カルボキシメチルセルロースナトリウム、カルボキシメチルセルロースカリウム等）、アルカリ金属セルロース硫酸塩が例示される。中でもヒドロキシル化されたアルキルセルロース、カルボキシメチルセルロース、アルカリ金属カルボキシメチルセルロースが好ましく、カルボキシメチルセルロースナトリウムがより好ましい。【選択図】  なし【特許請求の範囲】
【請求項１】
水と、エタノールと、セルロース誘導体１１〜２５％とを含み、セルロース誘導体の２５℃における２％粘度が３０〜４５ｍＰａ・ｓである義歯安定剤。
【請求項２】
水と、エタノール０．１〜１０％と、セルロース誘導体１１〜２５％とを含み、セルロース誘導体の２５℃における２％粘度が３０〜４５ｍＰａ・ｓである義歯安定剤。
【請求項３】
セルロース誘導体がカルボキシメチルセルロースナトリウムである請求項１又は２に記載の義歯安定剤。
【発明の詳細な説明】
【技術分野】
【０００１】
本発明は、義歯床と顎堤の間の隙間に充填して、義歯のガタツキをなくし咀嚼力の低下を改善するために用いられる義歯安定剤に関し、さらに詳しくは、口腔内に義歯を装着した際に甘味による不快感をもたらすことがない水溶性ペースト状義歯安定剤に関する。
【背景技術】
【０００２】
義歯安定剤には、主に酢酸ビニル樹脂からなる非水溶性のペースト状義歯安定剤、鉱物油に水溶性高分子を分散させた水溶性のペースト状義歯安定剤、および、水溶性高分子からなる粉末状義歯安定剤がある。
【０００３】
非水溶性ペースト状義歯安定剤は義歯と口腔粘膜との間にできた隙間を埋めるもので、粘着性は示さない。一方水溶性のペースト状義歯安定剤は唾液に溶解することで粘着性を示すものの、主剤が鉱物油（主にワセリン類、パラフィン類）であるため、口腔内に油系製剤特有の不快感を呈する。  
粉末状義歯安定剤は義歯に塗布する際、粉末が飛び散り、塗布時の操作性が良くない。
【０００４】
これらの問題を解決する手段として特許文献１では、水溶性高分子と多価アルコールと水または人工唾液とからなる義歯安定剤が提案され、特許文献２では、水または人工唾液と水溶性高分子とグリセリンとからなる義歯安定剤が提案されている。これらの義歯安定剤は、水溶性ペースト状であってかつ鉱物油を含まないため、油系製剤特有の不快感を呈さないものである。
【特許文献１】特開昭５７−９９５１１号公報
【特許文献２】特許第３５１５７６１号公報
【発明の開示】
【発明が解決しようとする課題】
【０００５】
特許文献１および２に提案の義歯安定剤は、義歯安定剤の可塑剤として多価アルコールを含んでおり、これが口腔内で甘味を感じさせるため、口腔内に義歯を装着した際、甘味による不快感をもたらすこととなる。
【０００６】
本発明は、この問題を解決すべく工夫されたもので、不快な甘味を感じることなく、義歯を口腔内に装着することができる義歯安定剤を提供することを課題とする。
【課題を解決するための手段】
【０００７】
本発明者は、上記課題を解決すべく研究を重ねた結果、特定のセルロース誘導体と水とエタノールを組み合わせることにより、口腔内に義歯を装着した際に甘味による不快感をもたらすことがなく、適正な塗布のしやすさを有し、義歯を口腔内に安定性よく維持することができる水溶性ペースト状義歯安定剤が得られるという知見を得、本発明を完成した。
【０００８】
すなわち、本発明による義歯安定剤は、水と、エタノールと、セルロース誘導体１１〜２５％とを含み、セルロース誘導体の２５℃における２％粘度が３０〜４５ｍＰａ・ｓであるものである。
【０００９】
特許請求の範囲および明細書全体を通して、％は重量％である。
【００１０】
本発明で用いるセルロース誘導体としては、水に溶解もしくはゲル化して粘着性を生じるものが好ましく、例えば水溶性のセルロースエーテルであるメチルセルロース、エチルセルロース、ヒドロキシ化されたアルキルセルロース（ヒドロキシプロピルメチルセルロース、ヒドロキシエチルセルロース等）、カルボキシメチルセルロース、アルカリ金属カルボキシメチルセルロース（カルボキシメチルセルロースナトリウム、カルボキシメチルセルロースカリウム等）、アルカリ金属セルロース硫酸塩が例示される。中でもヒドロキシル化されたアルキルセルロース、カルボキシメチルセルロース、アルカリ金属カルボキシメチルセルロースが好ましく、カルボキシメチルセルロースナトリウムがより好ましい。
【００１１】
セルロース誘導体の配合量は１１〜２５％である。セルロース誘導体の配合量が少な過ぎると、義歯安定剤がペースト状を保ちえず、充分な粘着性を示すことができず、義歯を口腔内に安定性よく維持することができない。セルロース誘導体の配合量が多過ぎると、義歯安定剤が固くなり、チューブ容器から押出しにくく、義歯への塗布が容易にできない。
【００１２】
セルロース誘導体の２５℃における２％粘度は３０〜４５ｍＰａ・ｓである。好ましくは、３２〜３５ｍＰａ・sである。セルロース誘導体の２５℃における２％粘度が低すぎると、義歯安定剤がペースト状を保ちえず、充分な粘着性を示すことができず、義歯を口腔内に安定性よく維持することができない。セルロース誘導体の２５℃における２％粘度が高すぎると、義歯安定剤が固くなり、チューブ容器から押出しにくく、義歯への塗布が容易にできない。セルロース誘導体の２５℃における２％粘度が上記範囲にある場合、使用感が良好である上に、チューブ容器からの義歯安定剤の押出しがスムーズになし得る。  セルロース誘導体と水との配合比は、好ましくは１：３以上である。
【００１３】
エタノールの配合量は本発明の効果を損なわない範囲で適宜採用できるが、エタノールの配合により、製剤のちょう度を適宜調節することが可能となるので、義歯を口腔内に装着する際に、所望の広がりやすさを有する義歯安定剤とすることができる。エタノールの配合量は、好ましくは１０％以下、より好ましくは２．５〜７．５％である。水、エタノール混合系に所定のセルロース誘導体を配合する場合に、水の配合割合を多くすると製剤のちょう度は大きくなるので、より広がりやすいものとすることができ、エタノールの配合割合を多くすると製剤のちょう度は小さくなるので、より広がりにくいものとすることができる。義歯安定剤としてのちょう度は適宜採用できるが、好ましくは３５〜７０ｍｍ、より好ましくは３９〜５９ｍｍである。一方、エタノールの配合量が１０％を超えると、義歯を口腔内に装着した際、エタノールによる刺激を生ずることがある。
【００１４】
本発明による義歯安定剤には、水、エタノールおよびセルロース誘導体の外に、義歯安定剤に所望の性状を与えるために可塑剤、乳化剤、粘度調整剤、水不溶性粉体、湿潤剤、防腐剤、金属石けん、溶剤、可溶化剤、安定化剤、消臭剤、機能性成分、清涼剤、香料、着色料、酵素など公知の添加剤を本発明の効果を損なわない限りにおいて、適宜配合してもよい。
【００１５】
可塑剤としては、ミツロウ、木ロウ、カルナウバロウ、キャンデリラワックスが例示される。
【００１６】
乳化剤としては、グリセリンモノステアレートのようなグリセリンの脂肪酸エステル、ソルビタンモノステアレートのようなソルビタンの脂肪酸エステル、ステアリン酸スクロース、ラウリン酸スクロースのようなショ糖脂肪酸エステルが例示される。
【００１７】
水不溶性粉体としては、炭酸カルシウム、リン酸カルシウム、プラスチックパウダー、タルク、シリカ、ベントナイト、ゼオライト等が例示される。
【００１８】
湿潤剤としては、ポリエチレングリコール、ポリプロピレングリコール、ヒアルロン酸等が例示される。
【００１９】
防腐剤としては、安息香酸、安息香酸ナトリウム、メチルパラベン、エチルパラベン、プロピルパラベンが例示される。
【００２０】
金属石けんとしては、ステアリン酸カルシウムが例示される。
【００２１】
溶剤としては、フェノキシエタノールが例示される。
【００２２】
可溶化剤としては、ポリオキシエチレン硬化ヒマシ油、モノオレイン酸ポリエチレングリコールのようなポリオキシエチレン脂肪酸エステル、N-ラウロイルサルコシンナトリウムのようなN-アシルアミノ酸塩、ラウリルジメチルアミノ酢酸ベタインのようなアルキル（アミド）ベタイン、ポリオキシエチレンラウリルエーテルのようなポリオキシアルキレンラウリルエーテル、ポリオキシエチレンアルキルエーテル、ヤシ油脂肪酸モノエタノールアミドのようなアルキルアルカノールアミド等が例示される。
【００２３】
安定化剤としては、酸化チタン、塩化ナトリウム、塩化カリウム、塩化マグネシウム、乳酸アルミニウム等が例示される。
【００２４】
消臭剤としては、銅クロロフィリンナトリウム、コーヒー、緑茶、ブドウ等から抽出されるポリフェノール類等が例示される。
【００２５】
機能性成分としては、グリチルレチン酸、グリチルレチン酸塩、グリチルリチン酸、グリチルリチン酸塩のような抗炎症剤、イソプロピルメチルフェノール、トリクロサン、塩化セチルピリジニウム、塩化デカリニウム、塩化ベンゼトニウム、塩化ベンザルコニウム、クロルヘキシジン類、ヒノキチオールのような殺菌剤、抗生物質、アスコルビン酸、アスコルビン酸誘導体、酢酸トコフェロール等のビタミン類等が例示される。
【００２６】
酵素としては、デキストラナーゼ、アミラーゼ、プロテアーゼ、ムタナーゼ、溶菌酵素、リゾチーム等が例示される。
【００２７】
清涼剤としては、ｌ−メントール、ｄｌ−メントール、メントール誘導体、カルボン等が例示される。
【００２８】
また、口中での義歯安定剤の唾液への溶解性を低下させ同剤が徐々に溶け出すようにするためにナトリウム／カルシウム・メトキシエチレン無水マレイン酸共重合体塩を添加することも好ましい。
【００２９】
本発明による義歯安定剤を製造するには、例えば、水、エタノールおよびセルロース誘導体を混合し、水にセルロース誘導体を溶解もしくはゲル化させ、水溶性ペーストを得る。
【００３０】
本発明による義歯安定剤は、通常は製剤中の成分の揮発や製剤の汚染が防止できるチューブ容器に収められた形態を取り、好ましくはアルミニウム製チューブ、アルミニウム・エポキシフェノール樹脂製多層チューブ、アルミニウム・ポリエチレン製多層チューブ、アルミニウム・ポリエチレン・エポキシフェノール樹脂製多層チューブ等のアルミラミネートチューブに収められた形態を取る。
【発明の効果】
【００３１】
本発明によれば、口腔内に義歯を装着した際に甘味による不快感をもたらすことがなく、しかも適正な塗布のしやすさを有し、義歯を口腔内に安定性よく維持することができる水溶性ペースト状義歯安定剤を提供することができる。
【発明を実施するための最良の形態】
【００３２】
つぎに、本発明を具体的に説明するために、本発明の実施例およびこれとの比較を示すための比較例をいくつか挙げ、さらに得られた義歯安定剤の性能試験結果を示すが、本発明はこれらの実施例に限定されるものではない。
【００３３】
実施例１〜６、比較例１〜７
表１に示す成分を表１に示す重量比で配合し、充分に撹拌し、水にセルロース誘導体を溶解もしくはゲル化させ、水溶性ペースト状の義歯安定剤を得た。
【表１】
2007097718.tif 000002
【００３４】
表１に示す成分について説明をする。
【００３５】
セルロース誘導体(1) ：カルボキシメチルセルロースナトリウム、２５℃における２％粘度１７ｍＰａ・ｓ
セルロース誘導体(2) ：カルボキシメチルセルロースナトリウム、２５℃における２％粘度３１ｍＰａ・ｓ
セルロース誘導体(3) ：カルボキシメチルセルロースナトリウム、２５℃における２％粘度３３．６ｍＰａ・ｓ
セルロース誘導体(4) ：カルボキシメチルセルロースナトリウム、２５℃における２％粘度４５ｍＰａ・ｓ
セルロース誘導体(5) ：カルボキシメチルセルロースナトリウム、２５℃における１％粘度２１２０ｍＰａ・ｓ
ナトリウム／カルシウム・メトキシエチレン無水マレイン酸共重合体塩
評価試験
実施例および比較例で得られた義歯安定剤を、つぎの項目について性能試験した。
【００３６】
ａ）製剤化            
成分を撹拌して水溶性ペースト状の義歯安定剤を得る工程が支障なく行えたかどうかを下記の基準で評価した。
【００３７】
○：支障なく行えた
△：やや困難を伴った
×：非常に困難であった
ｂ）塗布のしやすさ  
得られた義歯安定剤をアクリル板に塗布する工程が容易に行えたかどうかを下記の基準で評価した。
【００３８】
○：ちょうど良い硬さで容易に塗布できた
△：柔らかすぎて塗布できなかった
▲：均質に塗布できなかった
×：固すぎて塗布できなかった
ｃ）接着力          
得られた義歯安定剤の接着力を、ＪＩＳ  Ｔ  ６５２５−１「義歯床安定用こ（糊）材−第１部：粘着型義歯床安定用こ（糊）材」に記載の「６．５粘着強さ試験Ｉ」の測定方法に従って測定した。なお、試料ホルダとしては「試料ホルダＩ」を用いた。
【００３９】
ｄ）呈味            
得られた義歯安定剤が甘みによる不快感を生じさせるものかどうかを下記の基準で評価した。
【００４０】
○：甘みによる不快感を生じさせない
×：甘みによる不快感を生じさせる
ｅ）ちょう度        
得られた義歯安定剤のちょう度を、ＪＩＳ  Ｔ  ６５１３「歯科用ゴム質弾性印象材」に記載の「５．４ちょう度試験」の方法に従って測定した。
【００４１】
評価試験の結果も表１に示した。
【００４２】
表１から明らかなように、本発明による義歯安定剤は、口腔内に義歯を装着した際に甘味による不快感をもたらすことがなく、しかも適正な塗布のしやすさを有し、義歯を口腔内に安定性よく維持することができる水溶性ペースト状製剤である。